(57)【特許請求の範囲】
【請求項１】
遠隔制御装置によって遠隔制御される画像表示装置で、前記画像表示装置に遠隔制御のための複数のアイコンから構成されるメニューを画面に表示するメニュー表示手段を設け、前記遠隔制御装置に前記画面に表示されるメニューと座標が対応し、前記メニュー表示手段により表示される前記アイコンを選択するためのタッチパネルを設け、隣接する前記アイコンの境界に所定の幅の前記アイコンの選択の状態の変化を反映しない領域を有する画像表示装置であって、選択しているアイコンのみ画面に表示されることを特徴とする画像表示装置。
【発明の詳細な説明】
【０００１】
【発明の属する技術分野】
本発明はテレビジョン受像機、ビデオレコーダ装置などの遠隔制御が可能な画像表示装置に関するものである。
【０００２】
【従来の技術】
近年、テレビジョン放送の多チャンネル化およびビデオテープレコーダとの複合化等が進み、またテレビジョン装置と連動したＡＶ機器を統一的に遠隔制御する遠隔制御装置（以下、リモコンと記す）が必要とされようになった。このために、遠隔制御装置の一つの機能について一つのキーを対応させるだけでは、キーが足りなくなり、やむを得ず一つのキーに２つ以上の機能を持たせる、もしくは一定の面積中に数多いキーを配置するために小さなキーを配置するなどの処置がとられていた。
【０００３】
しかしながらこの場合、１つのキーに対する２つ以上の機能をユーザが覚える必要があり、また小さな多数のキーを選択する必要があり、操作が容易でなかった。
【０００４】
これに対して、例えば、リモコンに設けられたタッチパネルからアイコンを選択して画像表示装置に信号を送信するするものが提案されてきている。その技術を以下に簡単に説明する。
【０００５】
被制御装置である画像表示装置の画面上に機能操作のための複数のアイコンからなる操作メニューが表示される。リモコン上のタッチパネルはその座標が画面上の操作メニューの座標と対応しており、ユーザーは画像表示装置の画面を見ながらリモコンのタッチパネルに触れると、触れた部分に対応する画像表示装置の画面の操作メニューのアイコンの色が変わり、ユーザーはどのアイコンが選択されているか知ることができるる。
【０００６】
そして操作メニュー上のアイコンを選択し、所定のアイコン上で決定スイッチを押すことにより機能が実行される。
【０００７】
【発明が解決しようとする課題】
このようにリモコン上のタッチパネルでは、指で画面上のアイコンを選択する場合、指の支持が安定しないため微妙な震えを生じる。このため、アイコンとアイコンの境界近くに触れているときに、選択しているアイコンの表示も安定せず指の震えに合わせて表示が変わる。このためにユーザーに不快感を与える。また、決定スイッチを押す動作により指の位置がずれて誤ったアイコンを選択するといった操作の確実性が大変悪かった。
【０００８】
また、機能操作の時に操作メニューが画面上に表示されるため、本来ユーザーが見ている画面が操作メニューにより隠されてしまうという問題点があった。
【０００９】
【課題を解決するための手段】
前記課題を解決するために、本発明は、遠隔制御装置によって遠隔制御される画像表示装置で、前記画像表示装置に遠隔制御のための複数のアイコンから構成されるメニューを画面に表示するメニュー表示手段を設け、前記遠隔制御装置に前記画面に表示されるメニューと座標が対応し、前記メニュー表示手段により表示される前記アイコンを選択するためのタッチパネルを設けた画像表示装置であって、隣接する前記アイコンの境界に所定の幅の前記アイコンの選択の状態の変化を反映しない領域を有していることを特徴とするものである。
【００１０】
さらに加えて、リモコンで選択しているアイコンのみ画面に表示されることを特徴とするものである。
【００１１】
本発明によれば、ユーザーが指でタッチパネルを触ることで対応する画面上の機能操作のためのアイコンを選択する場合でも、アイコンの選択が安定して決定操作が確実にできる画像表示装置を提供できる。
【００１２】
さらに、画面上に機能操作のためのアイコンが表示される場合でも、表示のアイコンを必要最低限にすることで、ユーザーが画面を見ることを妨げない画像表示装置を提供できる。
【００１３】
【発明の実施の形態】
本発明は、遠隔制御装置によって遠隔制御される画像表示装置で、前記画像表示装置に遠隔制御のための複数のアイコンから構成されるメニューを画面に表示するメニュー表示手段を設け、前記遠隔制御装置に前記画面に表示されるメニューと座標が対応し、前記メニュー表示手段により表示される前記アイコンを選択するためのタッチパネルを設けた画像表示装置において、隣接する前記アイコンの境界に所定の幅の前記アイコンの選択の状態の変化を反映しない領域を有していることを特徴とするものであり、ユーザーが指でタッチパネルを触って選択するアイコンの選択が安定し、アイコンの決定操作が確実にできるという作用を有する。
【００１４】
さらに本発明は、選択しているアイコンのみ画面に表示されることを特徴とするものであり、ユーザーの見ている画面上への機能操作のアイコンの表示を必要最小限にするという作用を有する。
【００１５】
以下、本発明の実施の形態について、図１から図４を用いて説明する。
（実施の形態１）
図１、図２、図３に本発明の一実施の形態を示す。図１は本発明の実施の形態１におけるリモコンと画像表示装置の画面の状態を示す図である。図２は本発明の実施の形態１における操作メニューの一例を示す図である。図３は本発明の実施の形態１における操作メニューの座標系の詳細を示す図である。
【００１６】
まず、図１は操作の概念を示す概念図で、図１において１は遠隔制御装置（以下リモコンと記す）であり、画像表示装置２の遠隔制御を行う。なお、遠隔制御信号としては赤外線、電波等に限定されない。
【００１７】
リモコン１はタッチパネル５と、スイッチ６から構成される。スイッチ６は例えば電源スイッチなど、最低限必要なスイッチがあればよい。もちろんスイッチ６がなくても構わない。画像表示装置２の画面３には操作メニュー４が通常の画面上に映し出されており、ユーザは操作メニュー４を見ながらタッチパネル５に触れ、選択したいアイコン上で決定スイッチ７を押すと、アイコン化された機能を実行する命令をリモコン１より画像表示装置２に送出し、画像表示装置２がその命令を実行する。
【００１８】
なお、決定スイッチは図１中には表面に配置しているが、特にその配置を限定するものではない。
【００１９】
リモコン１上のタッチパネル５上の座標（ｘ、ｙ）は画像表示装置２の画面３中の操作メニュー４の図示した（ｘ、ｙ）に対応している。
【００２０】
次に操作メニュー４の詳細を一例を挙げて示す。図２は、ビデオレコーダの操作を行う場合の操作メニュー４である。このときユーザが、ビデオレコーダが再生中である場合、再生メニュー８が表示されている。再生メニュー８は巻き戻し、早送り、停止、静止のそれぞれの機能を実行するためのアイコンが表示されたアイコン領域９ａ〜９ｄからなっている。ユーザがリモコン１上のタッチパネル５に触れると、触れた部分に対応するアイコンの色が変わり、そのアイコンが選択されていることがユーザに知らされる。ユーザーが希望する機能操作のアイコンが選択された状態で決定スイッチ７を押せば、所望の機能が実現される。
【００２１】
次にユーザーの選択操作を図３に示す。アイコンの選択の状態の変化を反映しない領域としての中間帯１０はアイコンの境界に所定の幅で配置される。まず、ユーザーが（ｘ１、ｙ１）を触れた場合、アイコン領域９ｂに触っているので早送りが選択される。次にユーザーが指を（ｘ２、ｙ２）に移動してアイコン領域９ａに触ってもアイコンの選択は変化せず早送りを選択したままである。次にユーザーが指を（ｘ３、ｙ３）に移動すると選択は巻戻しに変わる。また、その他のアイコン領域においても同様である。
【００２２】
例えばアイコンの境界近くの（ｘ２、ｙ２）を指が触っているときには指のわずかな移動には選択状態が反応することなく安定している。
【００２３】
（実施の形態２）
図４に本発明の一実施の形態を示す。図４は画面３に表示される操作メニュー４の詳細を示す。
【００２４】
操作メニュー４には６種類の機能操作のためのアイコンで構成され、アイコン領域１１ａ〜１１ｆにそれぞれのアイコンが表示される。まずユーザーが画面３を見ている時には操作メニュー４は表示されていない。ユーザーが（ｘ４、ｙ４）に触るとアイコン領域１１ａのみにアイコンが表示される。次にユーザーが指を移動して（ｘ５、ｙ５）に触るとアイコン領域１１ｃにアイコンが表示されて、アイコン領域１１ａのアイコンの表示は消える。また、その他のアイコン領域においても同様である。アイコンが表示されていない範囲では画面３に表示中の映像が見ることができる。なお、上記実施の形態において、画像表示装置に連動する種々の映像音響機器を画像表示装置に表示されるメニューと連動させて遠隔制御することも可能である。
【００２５】
【発明の効果】
以上のように、本発明の画像表示装置によれば、指でタッチパネルに触れて機能操作のためのアイコンを選択する場合でも、確実に選択決定操作が行うことが可能となる。
【００２６】
また、機能操作の際に画面上に表示されるアイコンの領域が少なくなり、ユーザーが画面情報を見る妨げにならない画像表示装置を提供できる。
【図面の簡単な説明】
【図１】本発明の実施の形態１における操作の概念を示す概略図
【図２】本発明の実施の形態１における操作メニューの一例を示す概略図
【図３】本発明の実施の形態１における操作メニューの座標系の詳細図
【図４】本発明の実施の形態２における操作メニューの詳細図
【符号の説明】
１  リモコン
２  画像表示装置
３  画像表示装置の画面
４  操作メニュー
５  タッチパネル
６  スイッチ
７  決定スイッチ
８  再生メニュー
１０  中間帯
【図１】
0003577916.tif 000002
【図２】
0003577916.tif 000003
【図３】
0003577916.tif 000004
【図４】
0003577916.tif 000005